【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】振動機及び振動機保持装置並びにこれを用いた無線機器
【手続補正２】
【補正対象書類名】明細書
【補正対象項目名】特許請求の範囲
【補正方法】変更
【補正の内容】
【特許請求の範囲】
【請求項１】
モータ本体と前記モータ本体に回転自在に支承された偏芯分銅とを備え、前記モータ本体に電流を供給するための給電手段を、一端がモータ巻線側に接続され、他端が前記モータ本体の外周に突出する金属板端子で形成したことを特徴とする振動機。
【請求項２】
前記金属板端子は、正極側端子と負極側端子とを備え、前記正極側端子と前記負極側端子のそれぞれの先端給電部同士の間隔が前記正極側端子と前記負極側端子の根元部分同士の間隔より広くなるように形成されていることを特徴とする請求項１記載の振動機。
【請求項３】
モータ本体と前記モータ本体を包囲し弾性的に保持する弾性保持部材とを備え、前記モータ本体が前記弾性保持部材で保持された状態で、前記モータ本体の金属板端子が前記弾性保持部材の外周に突出し、前記金属板端子の前記弾性保持部材の外周に突出した部分がプリント基板に直接電気的に接続されていることを特徴とする振動機保持装置。
【請求項４】
前記金属板端子は、正極側端子と負極側端子とを有し、前記正極側端子と前記負極側端子のそれぞれの先端給電部同士の間隔が前記正極側端子と前記負極側端子の根元部分同士の間隔より広くなるように形成され、前記正極側端子と前記負極側端子のそれぞれの先端給電部が前記プリント基板に直接電気的に接続されていることを特徴とする請求項３記載の振動機保持装置。
【請求項５】
請求項１〜２のいずれか１項記載の振動機、あるいは、請求項３〜４のいずれか１項記載の振動機保持装置を備えたことを特徴とする無線機器。
【手続補正３】
【補正対象書類名】明細書
【補正対象項目名】０００１
【補正方法】変更
【補正の内容】
【０００１】
【発明の属する技術分野】
本発明は、携帯電話機やポケットベル（登録商標）などに用いられ、携帯電話機やポケットベルなどへの着信や、その他の情報を振動により無音で報知する振動機及びその振動機保持装置に関する。
【手続補正４】
【補正対象書類名】明細書
【補正対象項目名】００１０
【補正方法】変更
【補正の内容】
【００１０】
本発明は、上記課題に鑑みてなされたものであり、携帯電話機やポケットベルなどに保持し易く、プリント基板などにも容易に接続でき、故障したときでもその交換が容易であるメンテナンス性に優れた振動機及びその振動機保持装置を提供することを目的としている。
【手続補正５】
【補正対象書類名】明細書
【補正対象項目名】００１１
【補正方法】変更
【補正の内容】
【００１１】
【課題を解決するための手段】
上記目的を達成するために、本発明の振動機においては、モータ本体と前記モータ本体に回転自在に支承された偏芯分銅とを備え、モータ本体に電流を供給するための給電手段を、一端がモータ巻線側に接続され、他端が前記モータ本体の外周に突出する金属板端子で形成している。
【手続補正６】
【補正対象書類名】明細書
【補正対象項目名】００１２
【補正方法】変更
【補正の内容】
【００１２】
また、本発明の振動機保持装置においては、モータ本体と前記モータ本体を包囲し弾性的に保持する弾性保持部材とを備え、モータ本体が弾性保持部材で保持された状態で、モータ本体の金属板端子が弾性保持部材の外周に突出し、金属板端子の突出した先端部がプリント基板に直接電気的に接続されていることを特徴としている。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
以上により、リード線を用いたもののように、リード線の引き回しに配慮し、端部を手で持って半田付けしなければならないような煩わしさがなくなり、常に、正確に、しかも、簡単にプリント基板などに直接電気的に接続することができるようになる。そして、振動機は、弾性保持部材で保持し、その状態で金属板端子を弾性保持部材より突出させ、プリント基板などに直接電気的に接続している。
これらの保持、接続も容易であり、メンテナンス性も大きく向上させることができる。
【手続補正１１】
【補正対象書類名】明細書
【補正対象項目名】００１７
【補正方法】変更
【補正の内容】
【００１７】
【発明の実施の形態】
請求項１記載の振動機の発明は、モータ本体と前記モータ本体に回転自在に支承された偏芯分銅とを備え、前記モータ本体に電流を供給するための給電手段を、一端がモータ巻線側に接続され、他端が前記モータ本体の外周に突出する金属板端子で形成したことを特徴とする。
請求項２記載の発明は、請求項１記載の振動機において、前記金属板端子が、正極側端子と負極側端子とを備え、前記正極側端子と前記負極側端子のそれぞれの先端給電部同士の間隔が前記正極側端子と前記負極側端子の根元部分同士の間隔より広くなるように形成されていることを特徴とする。
【手続補正１２】
【補正対象書類名】明細書
【補正対象項目名】００１８
【補正方法】変更
【補正の内容】
【００１８】
請求項３記載の振動機保持装置の発明は、モータ本体と前記モータ本体を包囲し弾性的に保持する弾性保持部材とを備え、前記モータ本体が前記弾性保持部材で保持された状態で、前記モータ本体の金属板端子が前記弾性保持部材の外周に突出し、前記金属板端子の前記弾性保持部材の外周に突出した部分がプリント基板に直接電気的に接続されていることを特徴とする。
請求項４記載の発明は、請求項３記載の振動機保持装置において、前記金属板端子が、正極側端子と負極側端子とを有し、前記正極側端子と前記負極側端子のそれぞれの先端給電部同士の間隔が前記正極側端子と前記負極側端子の根元部分同士の間隔より広くなるように形成され、前記正極側端子と前記負極側端子のそれぞれの先端給電部が前記プリント基板に直接電気的に接続されていることを特徴とする。
そして、請求項５記載の無線機器の発明は、請求項１〜２のいずれか１項記載の振動機、あるいは、請求項３〜４のいずれか１項記載の振動機保持装置を備えたことを特徴とする。
【手続補正１３】
【補正対象書類名】明細書
【補正対象項目名】００５７
【補正方法】変更
【補正の内容】
【００５７】
以上、説明したように、本発明の実施の形態によれば、第１に、振動モータが接続されたフレキシブルプリント基板に、振動伝達防止手段として、振動モータの接続部位とその他の部位との間に屈曲部を設けたり、振動モータの接続部位をその他の部位に対して薄肉化、幅狭化しているので、モータの振動とともにフレキシブルプリント基板のモータ接続部近傍が振動してもその他の部位の振動を防止することができ、併せてフレキシブルプリント基板上に実装された部品の破損を防止するとともに、フレキシブルプリント基板とその近接する部品との間で干渉を防いで異音の発生を防止することができる。これにより実装部品の耐振動特性などのスペックを厳しくする必要がなく、また他の部品の振動防止のための部品を新たに設ける必要をなくして、コストの増大を抑えることができる。なお、抵抗などの実装部品のスペックを厳しくさせないですむから、この点ではむしろ低コストを実現することができる。
【手続補正１４】
【補正対象書類名】明細書
【補正対象項目名】００６２
【補正方法】変更
【補正の内容】
【００６２】
【発明の効果】
以上、説明したように、本発明の振動機は、モータ本体とこのモータ本体に回転自在に支承された偏芯分銅とを備え、モータ本体に電流を供給するための給電手段が、一端がモータ巻線側に接続され、他端が前記モータ本体の外周に突出する金属板端子で形成されており、したがって、従来のようにリード線の引き回しを気にすることなく、作業性よくプリント基板に直接電気的に接続することができる。
そして、振動機保持装置は、振動機を弾性保持部材で保持し、その状態で金属板端子が弾性保持部材の外周に突出するように構成しており、したがって突出した金属板端子でもって振動機をプリント基板に容易に電気的に接続することができ、メンテナンス性も大いに向上させることが可能である。